(57)【特許請求の範囲】
【請求項１】
建築物の屋根の軒裏に取り付けられて、屋根内を外部と通気させる換気用部材であって、
長手方向へ換気孔が複数形成された換気部と、該換気孔を臨む位置に開閉弁が形成された開閉部とから構成されてなり、前記開閉弁は、前記換気孔から流入する空気の圧力によって揺動し、前記換気孔から流入する空気の流路を遮断するように構成されており、
前記換気部は、その端部に形成された係止部を介して前記開閉部に着脱可能に嵌合されて連結されてなることを特徴とする換気用部材。
【請求項２】
前記開閉部は、柔軟性を有する前記開閉弁が一体成形されてなることを特徴とする請求項１記載の換気用部材。
【請求項３】
前記換気部が、下方側へ突出した凸状の断面形状に形成され、前記換気孔が、設置時に前記建築物側に配設される側面に形成されてなることを特徴とする請求項１〜２のいずれか１項記載の換気用部材。
【発明の詳細な説明】
【０００１】
【産業上の利用分野】
この発明は、住宅等の軒裏に設けられ、屋根内の換気を行なう換気用部材に関するものである。
【０００２】
【従来の技術】
従来より、住宅等の屋根の軒裏には、屋根内の換気を行なうために、換気用部材が設けられている。この換気用部材としては、例えば、複数の孔が形成された平板からなるものがある。
即ち、この平板からなる換気用部材を、軒裏に取り付けることにより、屋根の内部と外部とを連通させ、通気性を向上させることができるようになっている。
【０００３】
【発明が解決しようとする課題】
ところで、上記換気用部材は、単に孔が形成された平板からなるものであるので、風雨時に、風とともに雨水が、吹き込んでしまうことがあり、この場合、屋根内にて湿気による腐食が生じてしまう恐れがあった。
【０００４】
この発明は、上記事情に鑑みてなされたもので、屋根内へ雨水を吹き込ませることなく、屋根内の良好な通気性を確保することが可能な換気用部材を提供することを目的としている。
【０００５】
【課題を解決するための手段】
上記目的を達成するために、請求項１記載の換気用部材は、建築物の屋根の軒裏に取り付けられて、屋根内を外部と通気させる換気用部材であって、長手方向へ換気孔が複数形成された換気部と、該換気孔を臨む位置に開閉弁が形成された開閉部とから構成されてなり、前記開閉弁は、前記換気孔から流入する空気の圧力によって揺動し、前記換気孔から流入する空気の流路を遮断するように構成されており、前記換気部と前記開閉部とが着脱可能に連結されてなることを特徴とする。
また、前記換気部は、その端部に形成された係止部を介して前記開閉部に嵌合されて連結されていることを特徴としている。
【０００６】
また、前記開閉部が、柔軟性を有する前記開閉弁が一体成形されてなることが望ましい。
また、前記換気部が、下方側へ突出した凸状の断面形状に形成され、前記換気孔が、設置時に前記建築物側に配設される側面に形成されてなることが望ましい。
【０００７】
【作用】
請求項１記載の換気用部材によれば、風雨時に、換気孔から雨水が吹き込みそうになると、開閉弁が風圧によって揺動して空気の流路を遮断することにより、換気孔から屋根裏内への雨水の吹き込みが防止される。さらに、換気孔を臨む位置に設けられた開閉弁が、換気孔が形成された換気部と別体の開閉部に設けられているので、換気孔を打ち抜き加工によって形成することが可能となる。
【０００８】
請求項２記載の換気用部材によれば、柔軟性を有する開閉弁が一体成形されているので、構造の簡略化が図られる。
請求項３記載の換気用部材によれば、換気孔が見づらくされ、良好な外観が確保される。
【０００９】
【実施例】
以下、本発明の換気用部材の実施例を図によって説明する。
図１において、符号１は、換気用部材である。この換気用部材１は、樹脂を押出成形することにより成形されたもので屋根２の軒裏３に、建築物の壁体に沿って取り付けられている。図２に示すように、この換気用部材１は、換気部４と、この換気部４に連結される開閉部５とから構成されている。換気部４には、軒天井材６の端縁に嵌合して連結する連結部７が形成されている。また、この換気部４は、断面形状が下方側へ突出した凸状に形成されており、建築物側の側面には、図３に示すように、複数の換気孔８が長手方向へ亘って形成されている。
【００１０】
また、この換気部４の端部は、図４に示すように、ノコ歯状に形成された係止部１１とされており、この係止部１１が、前記開閉部５に形成された嵌合部１２に嵌合されて連結されている。
開閉部５は、例えば釘１３によって、垂木１４に固定されたもので、その一端部には、開閉弁１５が設けられている。この開閉弁１５は柔軟性を有する樹脂から形成されたもので、他の部分と一体に押出成形されており、前記換気部４の凹部内にて、前記換気孔８を臨む位置に配設されている。そして、この開閉弁１５が図２中矢印イ方向へ弾性変形して揺動すると（図２中一点鎖線にて示した状態）、換気部４に形成された弁座１６に当接するようになっている。
【００１１】
上記構造の換気用部材１によれば、例えば、風雨時に、換気孔８から雨水が吹き込みそうになると、開閉弁１５が、風圧によって揺動され、この開閉弁１５が、換気部４の弁座１６に当接して密着することにより、換気孔８から屋根裏内への流路が遮断され、雨水の吹き込みが確実に防止される。即ち、屋根裏へ雨水を浸入させることなく、屋根裏内の良好な通気性を確保することができる。
さらに、換気孔８を臨む位置に設けられた開閉弁１５を有する開閉部５が、換気部４と着脱可能に連結される別体とされているので、換気部４の換気孔８を形成する際に、開閉弁１５が邪魔になることがなく、これにより、この換気孔８を打ち抜き加工にて容易に形成することができ、製造コストの低減を図ることができる。
【００１２】
さらに、開閉弁１５は、開閉部５に押出成形によって一体成形されたものであるので、別体の開閉弁１５を取り付ける場合と比較して、その製造コストを低減させることができる。
また、換気部４は、下方へ突出した凸状に形成され、建築物側の側面に換気孔８が形成されているので、外部から換気孔８を見づらくすることができ、良好な外観を確保することができる。
【００１３】
なお、上記実施例では、換気部４の係止部１１が嵌合する開閉部５の嵌合部１２を突出させたが、図５に示すように、開閉部５の表面に沿って嵌合部１２を形成し、換気部４の端部を屈曲させ、その先端側に形成した係止部１１を嵌合させて連結させるようにしても良く、この場合、その嵌合部１２の構造を簡略化させることができる。
なおまた、上記実施例では、軒裏における壁面側、つまり屋根２の根本側に換気用部材１を設けたが、この換気用部材１は、屋根２の先端側、つまり軒先側に配設しても良く、この場合、軒天井材６と連結する連結部７を、開閉部５側に形成する。
また、上記実施例では、開閉弁１５が当接する弁座１６を換気部４側に形成したが、単に、開閉弁１５を換気部４の一部に当接させることにより流路の遮断を行なわせるようにしても良い。
【００１４】
【発明の効果】
以上、説明したように、本発明の換気用部材によれば、下記の効果を得ることができる。
請求項１記載の換気用部材によれば、例えば、風雨時に、換気孔から雨水が吹き込みそうになると、開閉弁が風圧によって揺動され、この開閉弁によって換気孔から屋根裏内への流路が遮断され、雨水の吹き込みが確実に防止される。即ち、屋根裏へ雨水を浸入させることなく、屋根裏内の良好な通気性を確保することができ、これにより屋根裏内における湿気による建材の腐食等を確実に防止することができる。さらに、換気孔を臨む位置に設けられた開閉弁を有する開閉部が、換気部と着脱可能に連結される別体とされているので、換気部の換気孔を形成する際に、開閉弁が邪魔になることがなく、これにより、この換気孔を打ち抜き加工にて容易に形成することができ、製造コストの低減を図ることができる。
【００１５】
請求項２記載の換気用部材によれば、開閉弁を、開閉部に押出成形によって一体成形したものであるので、別体の開閉弁を取り付ける場合と比較して、その製造コストを低減させることができる。
請求項３記載の換気用部材によれば、前記換気部が下方へ突出した凸状に形成され、設置時に建築物側に配置される側面に換気孔が形成されているので、外部から換気孔を見づらくすることができ、良好な外観を確保することができる。
【図面の簡単な説明】
【図１】本発明の実施例の換気用部材の構造及び形状を説明する換気用部材が取り付けられた建築物の屋根の断面図である。
【図２】本発明の実施例の換気用部材の構造及び形状を説明する軒裏に取り付けられた換気用部材の断面図である。
【図３】本発明の実施例の換気用部材の形状を説明する換気用部材の平面図である。
【図４】本発明の換気用部材の各部材同士の連結構造を説明する連結部分の断面図である。
【図５】本発明の他の実施例の換気用部材の構造及び形状を説明する換気用部材の断面図である。
【符号の説明】
１  換気用部材
２  屋根
３  軒裏
４  換気部
５  開閉部
８  換気孔
１５  開閉弁
【図１】
0003638997.tif 000002
【図２】
0003638997.tif 000003
【図３】
0003638997.tif 000004
【図４】
0003638997.tif 000005
【図５】
0003638997.tif 000006